(57)【要約】移動式電話又はブルートゥース装置などの無線通信装置は、スロット（３０４）を組み込んでいる接地コンダクタ（３０２）と、接地コンダクタがアンテナとして機能することを可能にするためにスロットにトランシーバを結合するための手段（３０８）とを有する。かかる装置は、効率的な放射性能を、既知のアンテナ配置よりも著しい小型容積から得ることができる。一つの実施態様において、接地コンダクタ（３０２）と、スロット（３０４）及びトランシーバは、モジュール（２０６）に統合され、かかるモジュールは、主要なアンテナエリアを提供する、さらなる接地コンダクタに結合するために適合される。さらなるコンダクタは、一般的には、印刷された回路ボードの接地平面であるか、又は移動式電話機であり得る。整合、且つブロードバンド化回路類は、モジュール内に簡便に組み込まれる。モジュールとさらなる接地コンダクタとの間の結合エリアを変化することによって、スロット（３０４）の共鳴周波数は変更できる。
2004530383.tif 000002
【特許請求の範囲】
【請求項１】
スロットを組み込んでいる接地コンダクタと、前記スロットにトランシーバを結合するための手段とを有し、それによって前記接地コンダクタがアンテナとして機能することを可能にする無線通信装置。
【請求項２】
前記接地コンダクタと、前記トランシーバ及び前記スロットが、さらなる接地コンダクタに結合するために適合されるモジュールに統合されることを特徴とする請求項１に記載の装置。
【請求項３】
前記モジュールは、伝導容器に包含されることを特徴とする請求項２に記載の装置。
【請求項４】
前記モジュールはさらに、整合回路類を有することを特徴とする請求項２又は３に記載の装置。
【請求項５】
前記整合回路類は、二重バンドを整合するために適合されることを特徴とする請求項４に記載の装置。
【請求項６】
前記手段は、前記接地コンダクタとさらなる接地コンダクタとの間の結合エリアを変更するために提供され、それによって前記装置の操作上の周波数を変化することを特徴とする請求項２乃至５の何れか一項に記載の装置。
【請求項７】
前記スロットは折り重ねられるか、又は蛇行することを特徴とする請求項１乃至６の何れか一項に記載の装置。
【請求項８】
前記さらなる接地コンダクタは、印刷された回路ボードの接地平面であることを特徴とする請求項１乃至７の何れか一項に記載の装置。
【請求項９】
前記さらなる接地コンダクタは、電話機のケースであることを特徴とする請求項１乃至８の何れか一項に記載の装置。
【請求項１０】
平面逆Ｆ形アンテナをさらに有し、前記接地コンダクタ及び前記平面アンテナの偏りは著しく異なることを特徴とする請求項１乃至９の何れか一項に記載の装置。
【請求項１１】
請求項１乃至１０の何れか一項に記載の装置を含んでいる無線通信機器。
【発明の詳細な説明】
【技術分野】
【０００１】
本発明は、接地コンダクタとトランシーバとを有する無線通信装置に関し、さらに、かかる装置を含む無線通信装置に関する。
【背景技術】
【０００２】
移動式電話器などの無線端末機は、典型的には、ノーマルモードへリックス若しくは蛇行ラインアンテナなどの外部アンテナ又は、平面逆Ｆ形アンテナ（ＰＩＦＡ）若しくはこれと同様の内部アンテナのいずれかを組み込んでいる。
【０００３】
したがって、かかるアンテナは、小型アンテナの狭帯域の基本的な限界に起因するために、小型（波長に比べて）である。しかしながら、携帯型無線通信システムは、一般的に、１０％以上の断片的な帯域幅を有する。例えば、相当な容積を必要とするＰＩＦＡからそのような帯域幅を達成することは、パッチ・アンテナの帯域幅とその容積と直接的な関係があるが、しかし、かかる容積は、小型電話機に対する流行において容易に利用可能でない。したがって、上述した制限のために、現行の無線端末機で小型アンテナからの効率的な広帯域幅の放射を達成することは実現可能ではない。
【０００４】
無線端末機における周知のアンテナ配置でのさらなる問題は、一般的に不均一であり、したがって、端末機のケースに強固に結合していることである。結果として、多大な量の放射線はアンテナではなく端末機自体から発する。それによって利点を得る、アンテナ供給が端末機のケースに直接的に結合された無線端末機は、我々の同時係属の国際出願ＷＯ／０２１３３０６（出願人の参照番号ＰＨＧＢ０１００５６）で開示されている。適切な整合ネットワークを介して供給される場合、端末機のケース又は別の接地コンダクタは効率的で広帯域放射体として作用する。
【発明の開示】
【発明が解決しようとする課題】
【０００５】
本発明の目的は、無線端末機におけるコンパクトなアンテナ配置を提供することである。
【課題を解決するための手段】
【０００６】
本発明の第一の態様によると、スロットを組み込んでいる接地コンダクタと、かかるスロットに対してトランシーバを結合する手段とを有する無線通信装置が提供され、それによって、接地コンダクタがアンテナとしての機能を可能にする。
【０００７】
移動式電話機などの無線端末機における一般的な接地コンダクタの規模が広範囲な放射帯域を提供する一方で、スロットは接地コンダクタに対するトランシーバの効率的な結合を可能にする。本発明と一致して成された装置において、アンテナとの干渉又はアンテナからの混信を回避する構成部品がないエリアは、既知のアンテナ配置よりもはるかに小さい。
【０００８】
接地コンダクタ及び関連するスロットは、印刷された回路ボードの接地平面などの接地コンダクタをさらに設置するためのモジュールに組み込まれてよい。かかる配置は、さらなる接地コンダクタがより広い放射エリアを提供する一方、供給は正確にモジュール内で制御することができるという利点を有する。また、かかるモジュールは、周知のアンテナの解決よりも著しく小型となり、加えて、同じ容積内にトランシーバ回路類を含む。
【０００９】
整合回路類もまた、モジュール内に組込まれてよい。本発明と一致して成る装置は、ブロードバンド整合回路を介する駆動に特に適している。二重及び多重バンドの整合回路はまた、組み込まれてよい。
【００１０】
偏波ダイバーシチは、ＰＩＦＡを本発明と一致して成る装置に追加することによって、非常にわずかな容積から達成されてよい。
【００１１】
本発明の第二の態様によると、本発明の第一の態様と一致して成る装置を有する無線通信装置が提供される。
【００１２】
本発明は、従来技術では見られない、アンテナ及び無線電話機のインピーダンスが分離可能な非対称のダイポールのインピーダンスと同様であるという認識に基づき、さらに、アンテナインピーダンスが非放射の結合要素と置き換え可能であるという認識に基づく。
【発明を実施するための最良の形態】
【００１３】
本発明の実施態様は、添付図を参照しながら実施例により記載されるであろう。
【００１４】
添付図において同一の参照番号は、対応する特徴を示すために使用されている。
【００１５】
我々の同時係属の国際出願ＷＯ／０２１３３０６（出願人の参照番号ＰＨＧＢ０１００５６）は、無線端末機又は、端末機の部分を形成する別の接地コンダクタが適切な整合ネットワークを介して供給され、効率的な広帯域放射体として作用する、アンテナ配置を開示する。かかる出願全体の内容は、参照物質としてここに組み込まれる。
【００１６】
概略するに、アンテナと無線端末機（例えば、移動式電話機）との組み合わせは、非対称のダイポールとしてみなすことができる。図１は、無線電話機のアンテナ供給ポイントにおいて、送信モードでトランシーバによって見られるインピーダンスのモデルを示す。非対称のダイポールの第一アーム１０２はアンテナのインピーダンスを表し、第二アーム１０４は電話機のインピーダンスを表し、両アームは供給源１０６によって駆動される。図で示されるように、かかる配置のインピーダンスは、仮想の接地１０８に対して別々に駆動される各アーム１０２、１０４のインピーダンスの合計と実質的に等価である。供給源１０６がトランシーバのインピーダンスを表すインピーダンスによって置き換えられる場合の受理においてこのモデルは等しく有効である。
【００１７】
電話器にアンテナ供給を結合する物理的に小型のコンデンサによってアンテナインピーダンスが置き換えでき得ることがＷＯ０２／１３３０６に示された。一つの実施態様において、コンデンサは、１０ｘ４０ｘ１００ｍｍの大きさの電話機に２ｘ１０ｘ１０ｍｍの大きさを有する平行なプレートのコンデンサである。電話機の注意深い設計によって、結果となる帯域幅は、従来のアンテナと電話機の組み合わせの帯域幅よりもはるかに大きいであろう。これは、電話機が低いＱの放射要素（シミュレーションは典型的なＱは約１であることを示す）として作用するためであり、一方で、従来のアンテナは、一般的には、約５０のＱを有する。
【００１８】
トランシーバを接地平面に結合する平行なプレートのコンデンサの使用における問題は、そのコンデンサが多大な容積（たとえ、この容積がＰＩＦＡにおいて必要とされる容積よりもかなり少量でも）を必要とすることである。さらに小型の無線端末機に対する流行の一環として、ロープロファイルのモジュールが装置（移動式電話又はブルートゥース（Ｂｌｕｅｔｏｏｔｈ）端末機）で必要とされるＲＦ回路を包含して開発されている。かかるモジュールは、一般的に金属容器で包含されて遮蔽されているが、そのような遮蔽は常に必要なわけではない。上で示された規模のコンデンサプレートの追加は、所望ではない、高さが２倍以上のかかるモジュールによって占有される容積の２倍以上である。
【００１９】
本発明と一致して成る装置において、ＲＦ出力はトランシーバから接地平面のスロットを越えて接地平面に供給される。この配置は、接地コンダクタに設置されたＲＦモジュールとスロット化された接地平面を有するＲＦモジュールのそれぞれの平面図である、図２及び３を参照して例示される。ＲＦモジュール２０６は、長方形のカットアウト２０４（点線で示されている）を備える長方形の接地平面２０２を有する印刷された回路ボード（ＰＣＢ）に設置される。モジュール２０６はまた、２つの接地平面２０２、３０２が電気的に接続可能なカットアウト２０４よりもわずかに大きい規模を有する接地平面３０２を含む。モジュールの接地平面３０２は、モジュール２０６の操作上の周波数でほぼ波長の４分の１の長さであるスロットを組込む。モジュールは、ＲＦ回路類３０６（詳細には示されていない）と、ＲＦ回路類から遠隔のスロット３０４の側面に対する接続３０８とを含む。
【００２０】
トランスミッタとしての操作において、ＲＦ回路類３０６からの出力はスロットを越えて、接地平面３０２、２０２に供給される。レシーバとしての操作において、接地平面３０２、２０２によって受信されるＲＦ信号は、スロット３０４の手段によって抽出され、ＲＦ回路類３０６に供給される。かかる供給配置がＷＯ０２／１３３０６に記載の容積結合としてそのような広い帯域幅を提供しないが、配置は従来のアンテナと比較して広い帯域幅を提供し、容積と帯域幅との間の交換は多くの適用において適切であるだろう。
【００２１】
例示されるように、スロット３０４は、ＲＦ回路類３０６のまわりで折りたたまれる。帯域幅が、スロット３０４と接地平面３０２、２０２との組み合わせによって決定される一方、共鳴周波数が４分の１波のスロット共鳴によって主に決定されるように、設計することができる。モジュール２０６でのスロット３０４の統合は、モジュールの接地平面３０２とＰＣＢ接地平面２０２との関係を変えることにより、その共振する周波数の同調を可能にします。ＰＣＢ接地平面２０２のカットアウト２０４が長方形でモジュール２０６と同等なサイズであるように示されているが、これは必須ではない。唯一の要求は、カットアウト２０４がスロット３０４のすぐ真下のＰＣＢで金属化がないような（実際的に、カットアウト２０４は少なくとも生産の許容性及びアライメントエラーと同じくらいのスロット３０４よりも大きく、効果的なスロットの規模は、カットアウト２０４の規模ではなく、モジュール２０６のスロット３０４の規模によって決定される）ことである。モジュールは、ＰＣＢに維持している回路類から比較的遠隔であるが、モジュールへの接続は真直ぐに維持されるために、示されるようなＰＣＢのエッジにおけるモジュール２０６の位置は簡素である。
【００２２】
測定は、ブルートゥースの適用における使用を意図して、図２及び３での例示と同様な実施態様で成された。この実施態様において、モジュール２０６はＲＦ回路類だけを含んで、スロット３０４はＰＣＢ接地平面２０２（カットアウト２０４を有しない）に提供された。モジュール２０６は、参照接地がＲＦと他の構成部分との間で共有されたことを保証する、ＰＣＢ接地平面２０２に接続される金属容器に包含された。ＰＣＢ接地平面２０２の規模は１００ｘ４０ｍｍであって、モジュール２０６とスロット３０４を囲い込む容積（したがって、図３に示されるモジュールの容積に対応する）は１５ｘ１３ｘ２ｍｍである。折りたたまれたスロット３０４は、１ｍｍの幅を有し、全長は１７ｍｍである。
【００２３】
２３００乃至２７６０ＭＨｚ間の周波数において図４に示される結果で、この実施態様の効率Ｅが測定された。効率は３５０ＭＨｚ以上の帯域幅にわたって５０％以上であることが分かる。これは、半分以下の容積を占有する一方で、１５ｘ１０ｘ５ｍｍの規模のＰＩＦＡから得られうる、帯域幅のほぼ２倍である。他の平面アンテナの解決策と異なり、さらなる利点は、アンテナ操作との干渉を回避する他の回路類を維持しないようにかなりの容積を必要としないことである。
【００２４】
テストピースは、本発明のさらなる適用性を調査するために生成された。図５は、０．８ｍｍ厚のＦＲ４回路ボード（測定された４．１の誘電定数を備える）で４０ｘ１００ｍｍの規模を有する銅の接地平面２０２を含む、テストピースの平面図である。３ｘ２６．５ｍｍのスロット３０４は、スロット３０４の閉じた末端から３ｍｍで位置する、孔５０８を介することでスロットのエッジに接続されるＰＣＢの背面の２．５ｍｍ幅のマイクロストリップライン５０６（点線で示される）を介して供給された接地平面に提供される。
【００２５】
８００乃至３０００ＭＨｚ間の周波数ｆにおける図６に示される結果のテストピースのリターンロスＳ１１の測定が実行された。同一の周波数範囲にわたって、かかる実施態様に測定されたインピーダンスを例示するスミスチャートは、図７に示される。この実施態様の１０ｄＢ帯域幅がほぼ１７５ＭＨｚであることが分かる。第一実施態様と比較する低周波数の操作は、結果として、長いスロットで、類似したままの断片的な帯域幅である。
【００２６】
この実施態様の本質的に広い帯域の性能のために、帯域幅は、効率を著しく失わずに、ブロードバンドの整合回路の使用によって、さらに広くできる。周波数レスポンスは、低周波において誘導性であり、高周波で容量性であるような配置から予期されることに相当する。したがって、一連のＬＣ共鳴回路が適切である。図８（リターンロス）及び９（スミスチャート）は、５ｎＨのインダクタンスと１．３ｐＦの容量がスロット・フィードを備える連続に置かれる場合に、シミュレート化された反応を示す。同調構成部分のロスが帯域（５０の構成部分Ｑを仮定）の中心で０．２ｄＢ以下である一方、１０ｄＢの帯域幅は、ほぼ２００ＭＨｚまで増大する。例えば、わずかに高いインピーダンスレベルでスロット３０４を供給することによって、又は第二の平行な共鳴回路を提供することによって、反応がさらに最適にされることは明白であるだろう。有用な副作用として、さらに回路類を広げる帯域幅は、ＲＦ回路類３０６のフィルター要求を減少する、有用な帯域のフィルター機能を実行する。これは、別のスペクトル的に個別のシステムが、増大した分離を与える装置に存在する場合は、有用である。
【００２７】
１５００乃至２２００ＭＨｚ間の周波数において図１０で示される結果を備えて、テストピースの効率Ｅは測定された。効率は、約４００ＭＨｚの帯域幅にわたって５０％以上であることが分かる。
【００２８】
図１１は、全体の大きさがほぼ１５ｘ１３ｍｍである、本発明と一致して成されたＲＦモジュール２０６製品の実施態様の平面図である。かかる実施態様は、ブルートゥースでの適用を目的として、品番ＢＧＢＡ１００である、フィリップスセミコンダクタによって製造された。Ｌ字形の接地コンダクタ３０２は、Ｌ字形スロット３０４を組み込む。スロットは、接続ポイント１１０２，３０８に接続された１．５ｎＨインダクタと、接続ポイント１１０４，１１０６に接続された３ｐＦの一連のコンデンサを介して供給される。さらに、１．３ｎＨの一連のインダクタと１．８ｐＦコンデンサとを有する整合回路は、一連のコンデンサと５０Ω供給との間で接続される。示されていない、別のＲＦ回路類３０６は、点線によって囲まれたエリアに含まれる。この回路類は、ＰＣＢに接地された場合に、点線によって囲まれたエリア全体が実質的に接地コンダクタとして考慮できるように、複数の接地接続を含む。
【００２９】
この実施態様において、ＰＣＢ接地平面は、著しいほどに改善された帯域幅を導く、図５のテストピースよりもむしろ半波長の大きさに接近する。１５００乃至３５００ＭＨｚ間の周波数において、測定された効率のグラフが図１２であり、図１１のモジュールの測定されたリターンロスＳ１１のグラフが図１３である。モジュール２０６は、１００ｘ４０ｍｍの規模を有するＰＣＢの長いエッジ上にスロット３０４の開口部を備えて設置され、かかるモジュールはＰＣＢの短いエッジから２５ｍｍのところで位置している。効率は８０％以上であり、リターンロスは１９００乃至２９００ＭＨｚの１ＧＨｚ以上の帯域幅にわたって、１０ｄＢ以上である。リンクテストの測定は、１０ｎｍを越える距離にわたって適切な性能を実証し、それによって、ブルートゥースの特定の要求に整合する。
【００３０】
本発明はまた、回路と整合する多重バンドがモジュール２０６に含まれる、多重バンドの適用における使用に適している。かかる適用において、本発明の帯域幅の特質は、狭いバンド・アンテナでよりも非常に真っ直ぐな多重バンド性能を備える。
【００３１】
本発明はまた、無線端末機から偏波ダイバーシチを提供するために使用されてよい。小型アンテナのために、所望の偏波ダイバーシチが実際に達成することが困難であるので、ＰＣＢがアンテナ自体よりも非常に頻繁に放射するようにアンテナとＰＣＢは対話する。したがって、偏りはアンテナの偏りではなく、ＰＣＢの偏りである。これは、たとえ２つの小型アンテナが直角の配向を有したとしても、結果となる放射は実質的に同じ偏りであるだろうことを意味する。
【００３２】
偏波ダイバーシチは、従来のＰＩＦＡと結合するスロット３０４（上に記載のような）を使用することによって達成できる。アンテナは同一容積（非常に小型のＲＦモジュール）内に位置できるが、実質的に異なる偏りを有する。これは、スロット３０４がスロットに対して供給されるよりもＰＣＢに埋め込まれるためである。スロット３０４の偏りがＰＣＢ内の偏りの配向に依存する一方で、ＰＩＦＡはＰＣＢの偏りを有するであろう。これは、ＰＩＦＡ又はノッチの修正なしで少なくとも部分的に達成できる、直角を提供するように配置できる。２つのアンテナがかなり強く結合しているのであれば、スイッチはまた、ＰＩＦＡが受信される場合にノッチを越えて提供される。
【００３３】
上に記載のように、スロット３０４は、ＲＦモジュール２０６又はＰＣＢ接地平面２０２の接地平面３０２のいずれかに組み込みできる。後者の場合、ＲＦ構成部品はモジュール２０６の形状で提供されても、又はされなくてもよい。モジュール２０６にスロット３０４を組み入れる利点は、整合、帯域幅のブロード化、及び／又は多重バンド操作が良好に制御された手法で実現される一方で、供給がより正確に制御できることである。改善された放射性能のためにＰＣＢ接地平面に接続される統合モジュールの組み立てにおいて、重要な利点があることが分かる。
【００３４】
ＲＦモジュール２０６に対する上の言及は、例えば、ベースバンド及び装置の制御回路類などのモジュールにおける他の非ＲＦ構成部品の包含を排除しない。上に示された実施態様において、スロット３０４は末端が開口であった。しかしながら、両端で閉じたスロットは、均等な手法で供給された場合に、等しく良好に使用できる。
【００３５】
本開示から、当業者にとって他の変更は明白である。かかる変更は、無線通信装置及びその部分的な構成部品の設計、製造及び使用で既に周知である他の特徴を含んでも良く、すでにここに記載した特徴に代わって又は加えて使用されてよい。
【００３６】
本明細書及び請求項において、単一で記載の要素はかかる要素の複数の存在を除外しない。さらに、“含む（有する）”は記載した構成要素及び段階以外の他の要素又は段階の存在を除外しない。
【図面の簡単な説明】
【００３７】
【図１】アンテナと無線端末機との組み合わせを表す、非対称のダイポールアンテナのモデルを示す。
【図２】接地コンダクタに設置された無線周波数（ＲＦ）モジュールの平面図である。
【図３】スロット化された接地平面を有するＲＦモジュールの平面図である。
【図４】図２及び３に示された形態と同様の形態におけるｆＭＨｚの周波数に対して測定された効率Ｅのグラフである。
【図５】マイクロストリップラインによって供給されたスロット化されたＰＣＢの接地平面を有するテストピースの平面図である。
【図６】整合なしで、図５で示されるテストピースにおいてｆＭＨｚの周波数に対してｄＢにおいて測定されたリターンロスＳ１１のグラフである。
【図７】８００乃至３０００ＭＨｚにわたって、整合なしで図５に示されるテストピースの測定されたインピーダンスを示すスミスチャートである。
【図８】一連のＬＣ整合回路を介して供給された、図５で示されるテストピースにおいてｆＭＨｚの周波数に対してｄＢにおいて測定されたリターンロスＳ１１のグラフである。
【図９】８００乃至３０００ＭＨｚにわたって、一連のＬＣ整合回路を介して供給された、図５に示されるテストピースの測定されたインピーダンスを示すスミスチャートである。
【図１０】整合なしで、図５で示されるテストピースにおいてｆＭＨｚの周波数に対して測定された効率Ｅのグラフである。
【図１１】ＲＦモジュールの実際的な実施態様の平面図である。
【図１２】図１１で示されるＲＦモジュールにおいてｆＭＨｚの周波数に対して測定された効率Ｅのグラフである。
【図１３】図１１で示されるＲＦモジュールにおいてｆＭＨｚの周波数に対してｄＢにおいて測定されたリターンロスＳ１１のグラフである。
【国際公開パンフレット】
2004530383.tif 000003
2004530383.tif 000004
2004530383.tif 000005
2004530383.tif 000006
2004530383.tif 000007
2004530383.tif 000008
2004530383.tif 000009
2004530383.tif 000010
2004530383.tif 000011
2004530383.tif 000012
2004530383.tif 000013
2004530383.tif 000014
2004530383.tif 000015
2004530383.tif 000016
2004530383.tif 000017
2004530383.tif 000018
2004530383.tif 000019
2004530383.tif 000020
2004530383.tif 000021
【国際調査報告】
2004530383.tif 000022
2004530383.tif 000023
2004530383.tif 000024